(57)【要約】      （修正有）【課題】簡易な構成で、コネクタ嵌合時における位置合わせを目視で容易かつ確実に行うことができるとともに、嵌合・抜去の操作力に対する強度を向上させることを可能とする。【解決手段】配線基板Ｐ１の両側端縁部から外方に向かって突出させた一対の固定金具１３，１３同士を、当該固定金具１３，１３の対向方向に沿って延在する連結部材により一体的に連結し、その連結部材に、配線基板Ｐ１に接続される基板接続部１３ｆを設けることで、一対の固定金具１３，１３を連結部材により一体的な構造として高剛性化し、嵌合・抜去時に付加される操作力に対する固定金具１３の強度を高めるとともに、連結部材の基板接続部１３ｆを介して固定金具１３を配線基板Ｐ１側に電気的に接続することによってグランド特性の向上を図るように構成したものである。【選択図】図１７
2016184505.tif 000002
【特許請求の範囲】
【請求項１】
配線基板に実装された状態で相手コネクタに嵌合される構成になされたものであって、
前記相手コネクタに嵌合されるように対向配置された一対の固定金具が、当該固定金具の対向方向における前記配線基板の両側端縁部から外方に向かって突出する構成になされた基板接続用電気コネクタにおいて、
前記一対の固定金具同士が、当該固定金具の対向方向に沿って延在する連結部材により一体的に連結され、
前記連結部材には、前記配線基板に対して電気的に接続される基板接続部が設けられていることを特徴とする基板接続用電気コネクタ。
【請求項２】
前記連結部材には、前記固定金具の対向方向と直交する方向における両端縁部分を折り曲げ成形した補強フランジ部が設けられていることを特徴とする請求項１記載の基板接続用電気コネクタ。
【請求項３】
前記基板接続部が、前記固定金具の対向方向と直交する方向における両端縁の各々から外方に延出するように設けられ、
それら両側の基板接続部の間部分における前記連結部材に、補強凹部が設けられていることを特徴とする請求項１記載の基板接続用電気コネクタ。
【請求項４】
前記一対の固定金具が、絶縁ハウジングに取り付けられているとともに、前記絶縁ハウジングには、前記相手コネクタとの嵌合時に電気的な接触状態になされるコンタクト部材が多極配列されたものであって、
前記一対の固定金具が、前記コンタクト部材の多極配列方向における前記絶縁ハウジングの両端部分に配置されていることを特徴とする請求項１記載の基板接続用電気コネクタ。
【請求項５】
請求項１〜４記載の基板接続用電気コネクタと、その基板接続用電気コネクタが嵌合される相手コネクタと、を備えた基板接続用電気コネクタ装置であって、
前記相手コネクタには、前記固定金具が嵌合されることでグランド回路を形成する相手側固定金具が設けられていることを特徴とする基板接続用電気コネクタ装置。
【発明の詳細な説明】
【技術分野】
【０００１】
本発明は、配線基板に実装された状態で相手コネクタに嵌合される基板接続用電気コネクタ及び基板接続用電気コネクタ装置に関する。
【背景技術】
【０００２】
一般に、種々の電気機器において、例えばスタッキングコネクタと呼ばれる一対の配線基板同士を電気的に接続する基板接続用の電気コネクタ装置が広く採用されている。この種の基板接続用電気コネクタ装置は、例えば第１の配線基板が連結された第１の電気コネクタの上方に、第２の配線基板が連結された第２の電気コネクタを対向するように配置し、その対向状態から上方側の第２の電気コネクタを、下方側の第１の電気コネクタに向かって下降させて押し込むことにより両電気コネクタ同士を嵌合状態とすることで、それら第１及び第２の配線基板同士を電気的に接続する構成になされている。このように両電気コネクタ同士を嵌合するにあたっては、一方の電気コネクタを上下に反転させた状態とすることで、両電気コネクタ同士を対向配置させる。
【０００３】
しかしながら、一般の基板接続用電気コネクタ装置では、上述したように一方の電気コネクタが上下反転して配置されると、その反転配置された電気コネクタが実装されている配線基板が、電気コネクタの上方に位置することとなり、電気コネクタの全体が配線基板によって上方から覆われて隠れた状態となる。そのため、下方側に配置された電気コネクタに対して上方側の電気コネクタがどのような位置にあるかが確認できなくなり、両電気コネクタ同士が適正な嵌合位置に配置されていないままの状態で嵌合操作が行われるおそれがある。そのような不適正な位置関係にある両電気コネクタ同士の嵌合操作が行われると、両電気コネクタ同士の嵌合が十分に行われなくなり、いわゆる半嵌合状態のままで嵌合操作が完了することが考えられる。そのような場合にあっては、機器使用時に発生する衝撃等によって両電気コネクタ同士が導通不良に至る可能性もある。
【０００４】
一方、下記の引用文献１に開示された基板接続用電気コネクタ装置においては、上方側の電気コネクタの長手方向両端部から、ロック部材に設けられたロック解除操作部の一部を外方に突出させることにより、ロック解除操作部の一部を上方側から目視可能とした構成が採用されている。このような構成によれば、下方側の相手コネクタに対する上方側の電気コネクタの嵌合位置を目視することで嵌合の確認を行うことができる。
【０００５】
しかしながら、上述したように配線基板の両側端縁部から外方に向かって突出するロック部材は、絶縁ハウジングの長手方向に離間して配置された構成になされており、そのような構成を有する従来の基板接続用電気コネクタにあっては、コネクタ嵌合時や抜去時における付加操作力が、一対のロック部材の各々に対して別個に作用することから、コネクタ全体の剛性を確保する点において不利な構造となっている。特に近年のように、コネクタ全体の薄型化や小型化が急速に進められてくると、嵌合・抜去時における付加操作力に対する強度が不足することが懸念される。
【先行技術文献】
【特許文献】
【０００６】
【特許文献１】特開２０１３−１６１５７８号公報
【発明の開示】
【発明が解決しようとする課題】
【０００７】
そこで本発明は、簡易な構成で、両電気コネクタ同士の嵌合時における位置合わせを目視で容易かつ確実に行うことができるとともに、嵌合・抜去の操作力に対する強度を向上させることができるようにした基板接続用電気コネクタ及び基板接続用電気コネクタ装置を提供することを目的とする。
【課題を解決するための手段】
【０００８】
上記目的を達成するため請求項１にかかる発明では、配線基板に実装された状態で相手コネクタに嵌合される構成になされたものであって、前記相手コネクタに嵌合されるように対向配置された一対の固定金具が、当該固定金具の対向方向における前記配線基板の両側端縁部から外方に向かって突出する構成になされた基板接続用電気コネクタにおいて、前記一対の固定金具同士が、当該固定金具の対向方向に沿って延在する連結部材により一体的に連結され、前記連結部材には、前記配線基板に対して電気的に接続される基板接続部が設けられた構成が採用されている。
【０００９】
このような請求項１にかかる構成を備えた基板接続用電気コネクタによれば、対向配置された一対の固定金具が、連結部材を介して一体的な構造になされることで高剛性化が図られることとなり、嵌合・抜去時に付加される操作力に対する固定金具の強度が高められるとともに、固定金具が、連結部材の基板接続部を介して配線基板側に電気的に接続されることから、グランド特性の向上も図られる。
【００１０】
このとき、請求項２にかかる発明のように、前記連結部材には、前記固定金具の対向方向と直交する方向における両端縁部分を折り曲げ成形した補強フランジ部が設けられていることが望ましい。
【００１１】
また、請求項３にかかる発明のように、前記基板接続部が、前記固定金具の対向方向と直交する方向における両端縁の各々から外方に延出するように設けられ、それら両側の基板接続部の間部分における前記連結部材に、補強凹部が設けられていることが望ましい。
【００１２】
このような請求項２又は請求項３にかかる構成を備えた基板接続用電気コネクタによれば、補強フランジ部又は補強凹部によって連結部材の強度が更に高められ、固定金具の強度が一層高められる。
【００１３】
このとき、請求項４にかかる発明のように、前記一対の固定金具が、絶縁ハウジングに取り付けられているとともに、前記絶縁ハウジングには、前記相手コネクタとの嵌合時に電気的な接触状態になされるコンタクト部材が多極配列されたものであって、前記一対の固定金具が、前記コンタクト部材の多極配列方向における前記絶縁ハウジングの両端部分に配置されていることが可能である。
【００１４】
さらに、請求項５にかかる発明のように、請求項１〜４記載の基板接続用電気コネクタと、その基板接続用電気コネクタが嵌合される相手コネクタと、を備えた基板接続用電気コネクタ装置であって、前記相手コネクタには、前記固定金具が嵌合されることでグランド回路を形成する相手側固定金具が設けられていることが望ましい。
【００１５】
このような請求項５にかかる構成を備えた基板接続用電気コネクタ装置によれば、強度が高められた固定金具と、その固定金具が嵌合される相手側固定金具を介してグランド回路が確実に形成され、伝送特性の向上が図られる。
【発明の効果】
【００１６】
以上述べたように本発明にかかる基板接続用電気コネクタ及び基板接続用電気コネクタ装置は、配線基板の両側端縁部から外方に向かって突出させた一対の固定金具同士を、当該固定金具の対向方向に沿って延在する連結部材により一体的に連結し、その連結部材に、配線基板に接続される基板接続部を設けることで、一対の固定金具を連結部材により一体的な構造として高剛性化し、嵌合・抜去時に付加される操作力に対する固定金具の強度を高めるとともに、連結部材の基板接続部を介して固定金具を配線基板側に電気的に接続することによってグランド特性の向上を図るように構成したものであるから、簡易な構成で、両電気コネクタ同士の嵌合時における位置合わせを目視で容易かつ確実に行うことができるとともに、嵌合・抜去の操作力に対する強度を向上させることができ、基板接続用電気コネクタ及び基板接続用電気コネクタ装置の信頼性を安価かつ大幅に高めることができる。
【図面の簡単な説明】
【００１７】
【図１】本発明の一実施形態にかかる第１の電気コネクタ（プラグコネクタ）を上方側から表した外観斜視説明図である。
【図２】図１に示された本発明の一実施形態にかかる第１の電気コネクタ（プラグコネクタ）を表した平面説明図である。
【図３】図１及び図２に示された本発明の一実施形態にかかる第１の電気コネクタ（プラグコネクタ）を表した正面説明図である。
【図４】図１〜図３に示された本発明の一実施形態にかかる第１の電気コネクタ（プラグコネクタ）を表した側面説明図である。
【図５】図１〜図４に示された本発明の一実施形態にかかる第１の電気コネクタ（プラグコネクタ）を下方側から表した外観斜視説明図である。
【図６】図４中のVI−VI線に沿った横断面説明図である。
【図７】図１〜図６に示された本発明の一実施形態にかかる第１の電気コネクタ（プラグコネクタ）を分解して表した外観斜視図である。
【図８】図１〜図７に示された第１の電気コネクタ（プラグコネクタ）を実装する第１の印刷配線基板の実装側表面を表した外観斜視説明図である。
【図９】図１〜図７に示された第１の電気コネクタ（プラグコネクタ）が嵌合される相手コネクタとしての第２の電気コネクタ（リセプタクルコネクタ）を上方側から表した外観斜視説明図である。
【図１０】図９に示された第２の電気コネクタ（リセプタクルコネクタ）を表した平面説明図である。
【図１１】図９及び図１０に示された第２の電気コネクタ（リセプタクルコネクタ）を表した正面説明図である。
【図１２】図９〜図１１に示された本発明の第２の電気コネクタ（リセプタクルコネクタ）を表した側面説明図である。
【図１３】図９〜図１２に示された第２の電気コネクタ（リセプタクルコネクタ）を下方側から表した外観斜視説明図である。
【図１４】図１２中のXIV−XIV線に沿った横断面説明図である。
【図１５】図９〜図１４に示された第２の電気コネクタ（リセプタクルコネクタ）を分解して表した外観斜視図である。
【図１６】図９〜図１５に示された第２の電気コネクタ（リセプタクルコネクタ）を実装する第２の印刷配線基板の実装側表面を表した外観斜視説明図である。
【図１７】第１の電気コネクタ（プラグコネクタ）を上下反転して、第２の電気コネクタ（リセプタクルコネクタ）に対して上方側から嵌合した状態を表した外観斜視説明図である。
【図１８】図１７の第１及び第２の電気コネクタ同士の嵌合状態を表した平面説明図である。
【図１９】図１８に示した第１及び第２の電気コネクタ同士の嵌合状態を表した正面説明図である。
【図２０】図１８及び図１９に示した第１及び第２の電気コネクタ同士の嵌合状態を表した側面説明図である。
【図２１】図２０中のXXI−XXI 線に沿った横断面説明図である。
【図２２】第１の電気コネクタ（プラグコネクタ）を第１の印刷配線基板に実装した後に上下反転した状態を表した外観斜視説明図である。
【図２３】図２２に示した第１の電気コネクタの実装状態を上方から表した平面説明図である。
【図２４】図２２及び図２３に示した第１の電気コネクタの実装状態を、コネクタ長手方向の外方側から同方向に沿って見たときの側面説明図である。
【図２５】第１及び第２の電気コネクタ同士の嵌合状態を上方から表した外観斜視説明図である。
【図２６】図２５に示した第１及び第２の電気コネクタ同士の嵌合状態を上方から表した平面説明図である。
【図２７】図２５及び図２６に示した第１及び第２の電気コネクタ同士の嵌合状態を、コネクタ長手方向の外方側から同方向に沿って見たときの側面説明図である。
【発明を実施するための形態】
【００１８】
以下、本発明を、印刷配線基板同士を接続する基板接続用電気コネクタ装置に適用した実施形態について図面に基づき詳細に説明する。
【００１９】
［電気コネクタ装置の全体構造について］
図面に示された本発明の一実施形態にかかる基板接続用電気コネクタ装置は、例えば、携帯電話、スマートフォン、或いはタブレット型コンピュータ等の各種電子機器内に配置された印刷配線基板同士を電気的に接続するように用いられるものであって、図１〜図７に示された第１の電気コネクタとしてのプラグコネクタ１０と、図９〜図１５に示された第２の電気コネクタとしてのリセプタクルコネクタ２０と、から構成されている。そして、プラグコネクタ（第１の電気コネクタ）１０が図８に示されている第１の配線基板Ｐ１に実装されるとともに、リセプタクルコネクタ（第２の電気コネクタ）２０が図１６に示されている第２の配線基板Ｐ２に実装された状態で、リセプタクルコネクタ２０に対してプラグコネクタ１０が嵌合されることで、第１及び第２の配線基板Ｐ１，Ｐ２同士の電気的な接続が行われるようになっている。
【００２０】
以下の説明においては、プラグコネクタ（第１の電気コネクタ）１０と、リセプタクルコネクタ（第２の電気コネクタ）２０との嵌合方向を「上下方向」とし、その上下方向における下方位置に配置されたリセプタクルコネクタ２０の上方位置にプラグコネクタ１０が配置され、そのような上下対向状態からプラグコネクタ１０が下方向に押し込まれることで、図１８〜図２１に示されているように両電気コネクタ１０，２０同士の嵌合操作が行われる。また、その嵌合状態からプラグコネクタ１０が上方に向かって適宜の力で引き上げられることにより、下方側のリセプタクルコネクタ２０からプラグコネクタ１０が上方に抜去される構成になされている。
【００２１】
なお、上述したリセプタクルコネクタ（第２の電気コネクタ）２０に対してプラグコネクタ（第１の電気コネクタ）１０を嵌合・抜去する操作は、作業者の手で行われることに限られることはなく、所定の治具や機械によって自動的に行うようにしても良い。
【００２２】
［各電気コネクタの構造について］
それらのプラグコネクタ（第１の電気コネクタ）１０、及びリセプタクルコネクタ（第２の電気コネクタ）２０は、細長状に延在する絶縁ハウジング１１及び２１を有している。それらの絶縁ハウジング１１及び２１は、プラスチック等の樹脂材を用いて例えばモールド成形されたものであるが、当該絶縁ハウジング１１及び２１の長手方向に沿って多数のコンタクト部材１２及び２２が多極状をなすように配列されている。これらのコンタクト部材１２及び２２の配列方向である絶縁ハウジング１１及び２１の長手方向を、以下において「コネクタ長手方向」と呼び、その「コネクタ長手方向」及び「上下方向」に直交する方向を「コネクタ幅方向」と呼ぶこととする。
【００２３】
上述したように各コンタクト部材１２及び２２は、「コネクタ長手方向」に多極配列されているが、より具体的には、絶縁ハウジング１１，２１の主体部分を構成している絶縁本体部１１ａ，２１ａの両側縁部に沿って一定のピッチ間隔で凹設されたコンタクト取付溝１１ｂ，２１ｂに対して各コンタクト部材１２及び２２が差し込まれるようにして装着が行われており、「コネクタ幅方向」において対称的に配置された２列の電極列をそれぞれ有している。
【００２４】
上述したコンタクト部材１２及び２２の各々に設けられた２列の電極列は、「コネクタ長手方向」に沿って略平行に延在するように並設されており、「コネクタ幅方向」の外方側に向かって延出するように設けられた接続脚部１２ａ，２２ａが、コネクタ実装時に、第１及び第２の配線基板Ｐ１，Ｐ２の表面上の信号伝送用導電路Ｐ１ａ（図８参照），Ｐ２ａ（図１６参照）にそれぞれ半田接合されるようになっている。
【００２５】
また、プラグコネクタ（第１の電気コネクタ）１０側のコンタクト部材１２は、上述した２列の電極列同士の間部分が、凹形状をなしてコネクタ長手方向に延在する構成になされている一方、リセプタクルコネクタ（第２の電気コネクタ）２０側のコンタクト部材２２は、上述した２列の電極列同士の間部分が、凸形状をなしてコネクタ長手方向に延在する構成になされている。そして、両電気コネクタ１０，２０同士が嵌合された際に、コンタクト部材１２側の電極列により形成された凹形状部分の内方に、コンタクト部材２２側の電極列により形成された凸形状部分が嵌り込み、それによって各コンタクト部材１２に設けられた接点部が、コンタクト部材２２側に設けられた接点部に対して弾性的に押圧接触することで、両コンタクト部材１２，２２同士の電気的な接続が行われる関係になされている。
【００２６】
一方、前述したようにプラグコネクタ（第１の電気コネクタ）１０がリセプタクルコネクタ（第２の電気コネクタ）２０に嵌合されるにあっては、以下に説明するプラグ側固定金具１３と、嵌合の相手側固定金具としてのリセ側固定金具２３とが、相互の位置を適正に規制し合うように接触しながら嵌合される構成になされている。これらのプラグ側固定金具１３及びリセ側固定金具２３は、上述した絶縁ハウジング１１，２１の「コネクタ長手方向」における両側部分にそれぞれ一対配置されており、プラグコネクタ１０に設けられた一対のプラグ側固定金具１３，１３同志が、後述の連結部材１３ｄにより一体的に連結されている一方、リセプタクルコネクタ２０に設けられた一対のリセ側固定金具（相手側固定金具）２３，２３同志は、互いが別個の部材をなすように配置されている。
【００２７】
より具体的には、各プラグ側固定金具１３及びリセ側固定金具２３が取り付けられている絶縁ハウジング１１，２１の長手方向（コネクタ長手方向）の両端部分には、上述した絶縁本体部１１ａ，２１ａから「コネクタ長手方向」の両側外方側に向かって突出するようにして絶縁突部１１ｃ，２１ｃが設けられており、それらの絶縁突部１１ｃ，２１ｃに対してプラグ側固定金具１３及びリセ側固定金具２３が圧入等により固定されている。
【００２８】
［プラグ側固定金具について］
そのうちのプラグ側固定金具１３は、上述した絶縁ハウジング１１の両端部分に設けられた一対の絶縁突部１１ｃ，１１ｃの外方側を部分的に覆うように嵌着されており、第１の配線基板Ｐ１に実装された際に、当該第１の配線基板Ｐ１の表面に対面する平面略矩形状の底面板１３ａを有している。このプラグ側固定金具１３の底面板１３ａは、「コネクタ長手方向」の外方側に向かって突出する平板状をなしているが、当該底面板１３ａの外周縁を形成している平面略コ字状の三辺には、「コネクタ幅方向」に対向する一対の側面板１３ｂ，１３ｂ、及び「コネクタ長手方向」の端面板１３ｃが、略直角に立ち上がるように折り曲げ形成されている。これらの側面板１３ｂ及び端面板１３ｃは、上述したように絶縁ハウジング１１の絶縁突部１１ｃの外表面を部分的に覆うように取り付けられた構成になされている。
【００２９】
ここで、前述したようにプラグ側固定金具１３は、「コネクタ長手方向」の両端部分に配置されているが、それらの両側のプラグ側固定金具１３，１３同士は、帯板状部材からなる連結部材１３ｄによって一体的に連結されている。この連結部材１３ｄは、絶縁ハウジング１１の絶縁本体部１１ａに沿って細長状に延在しており、当該連結部材１３ｄの延在方向である「コネクタ長手方向」の両端部分が、上述したプラグ側固定金具１３の底面板１３ａ，１３ａに対して一体的な連結関係になされている。
【００３０】
また、その連結部材１３ｄの板幅方向である「コネクタ幅方向」における両側の端縁部分には、略直角に折り曲げられた補強フランジ部１３ｅ，１３ｅが形成されている。これらの補強フランジ部１３ｅ，１３ｅは、連結部材１３ｄの全長にわたって帯状をなすように延在しており、絶縁本体部１１ａ側に凹設された細長状溝内に挿入された状態に配置されている。
【００３１】
また、上述した連結部材１３ｄの「コネクタ長手方向」における両端部分、すなわち当該連結部材１３ｄと底面板１３ａとの境界部分には、「コネクタ幅方向」の両側外方に向かって突出する一対の基板接続部１３ｆ，１３ｆが設けられている。これらの各基板接続部１３ｆは、前述した連結部材１３ｄから第１の配線基板Ｐ１の表面に向かって段差をなして延出する平板脚状部材から形成されており、コネクタ実装時においては、第１の配線基板Ｐ１の表面上に形成されたグランド接続用導電路Ｐ１ｂ（図８参照）に対して半田接合されるようになっている。
【００３２】
さらに、上述した一対の基板接続部１３ｆ，１３ｆ同士の間部分、すなわち連結部材１３ｄと底面板１３ａとの境界部分には、凹状の溝部からなる補強凹部１３ｇ，１３ｇが形成されている。それらの各補強凹部１３ｇは、平面略長方形状をなして細長状に窪むように形成されている。
【００３３】
一方、プラグコネクタ（第１の電気コネクタ）１０が実装される第１の配線基板Ｐ１の端末部分は、前述したプラグコネクタ１０のプラグ側固定金具１３を外方に突出させる端縁形状になされている。すなわち、上述した第１の配線基板Ｐ１の外形状を形成している「コネクタ長手方向」における両端縁は、プラグコネクタ（第１の電気コネクタ）１０のプラグ側固定金具１３が配置されている端末部分において「コネクタ長手方向」の内方側に向かって平面略Ｌ字形状に窪むように切欠き形成されている。そして、その第１の配線基板Ｐ１の切欠き領域を通して、プラグコネクタ１０の「コネクタ長手方向」における両端部分に配置されたプラグ側固定金具１３，１３が、第１の配線基板Ｐ１の端縁から外方側に突出して露出状態となるように構成されている。
【００３４】
［リセ側固定金具（相手側固定金具）について］
このような構成を有するプラグ側固定金具１３が嵌合される相手側固定金具としてのリセ側固定金具２３も、リセプタクルコネクタ（第２の電気コネクタ）２０の絶縁ハウジング２１の両端部分に設けられた一対の絶縁突部２１ｃ，２１ｃを、上方側から覆うように嵌着されているが、上述したように、これらの両リセ側固定金具２３，２３同志は、互いに別個の部品をなすように形成されている。各絶縁突部２１ｃに取り付けられたリセ側固定金具２３の各々は、「コネクタ長手方向」の外方側から見たときに略Ｍ字形状をなすように折り曲げ形成されており、「コネクタ幅方向」における両側部分に、山形状に立ち上がるように折り曲げられた一対の側壁板２３ｂ，２３ｂを有しているとともに、それらの両側壁板２３ｂ，２３ｂ同士が、第２の配線基板Ｐ２の表面に対面する平面略矩形状の底面板２３ａにより一体的に連結されている。
【００３５】
そして、このリセプタクルコネクタ（第２の電気コネクタ）２０のリセ側固定金具２３の内方側領域に、前述したプラグコネクタ（第１の電気コネクタ）１０のプラグ側固定金具１３が嵌め込まれ、その際、プラグ側固定金具１３の側面板１３ｂ，１３ｂが、リセ側固定金具２３の側壁板２３ｂ，２３ｂに対して内方側から押圧接触されることで、電気的な接続状態になされる。
【００３６】
また、このようなリセ側固定金具２３の「コネクタ幅方向」における両端部分には、同方向の外方側に向かって延出する一対の基板接続部２３ｃ，２３ｃが設けられている。これらの各基板接続部２３ｃは、上述した側壁板２３ｂ，２３ｂから段差をなして第２の配線基板Ｐ２の表面に向かって延出する平板脚状部材から形成されており、コネクタ実装時に、第２の配線基板Ｐ２の表面上に形成されたグランド接続用導電路Ｐ２ｂ（図１６参照）に対して半田接合されるようになっている。
【００３７】
このような構成を備えた基板接続用電気コネクタ装置を構成するプラグコネクタ（第１の電気コネクタ）１０においては、「コネクタ長手方向」の両端部分に配置された一対のプラグ固定金具１３，１３が、帯板状部材からなる連結部材１３ｄを介して一体的な構造になされていることで高剛性化が図られることとなり、両コネクタ１０，２０同士の嵌合・抜去時に付加される操作力に対するプラグ固定金具１３の強度が高められる。
【００３８】
また、そのプラグ固定金具１３は、連結部材１３ｄに設けられた基板接続部１３ｆ，１３ｆを介して第１の配線基板Ｐ１側に電気的に接続されることから、グランド特性の向上も図られるようになっている。
【００３９】
さらに、プラグ固定金具１３の連結部材１３ｄの両側端縁部分には補強フランジ部１３ｅ，１３ｅが設けられているとともに、連結部材１３ｄと底面板１３ａとの境界部分に補強凹部１３ｇ，１３ｇが設けられていることから、それらの補強フランジ部１３ｅ又は補強凹部１３ｇによって連結部材１３ｄの強度が更に高められることで、プラグ固定金具１３全体の強度が一層高められている。そして、そのように強度が高められたプラグ固定金具１３によりグランド回路が確実に形成され、伝送特性の向上が図られるようになっている。
【００４０】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００４１】
例えば、上述した実施形態においては、プラグコネクタ（第１の電気コネクタ）１０を露出状態とするように第１の配線基板Ｐ１の外形状を形成する端縁部に切欠き部を設けているが、貫通穴を通して露出させる構成としても同様な作用・効果が得られる。
【００４２】
さらに、上述した実施形態におけるプラグ側固定金具１３とリセ側固定金具２３との凹凸嵌合関係は、リセプタクルコネクタ１０とプラグコネクタ２０との間において逆の関係に配置することが可能である。
【産業上の利用可能性】
【００４３】
以上のように本発明は、各種電子・電気機器に使用される多種多様な基板接続用電気コネクタ装置に対して広く適用することが可能である。
【符号の説明】
【００４４】
１０  プラグコネクタ（第１の電気コネクタ）
１１  絶縁ハウジング
１１ａ  絶縁本体部
１１ｂ  コンタクト取付溝（図７参照）
１１ｃ  絶縁突部
１２  コンタクト部材
１２ａ  接続脚部
１３  プラグ側固定金具
１３ａ  底面板
１３ｂ  側面板
１３ｃ  端面板
１３ｄ  連結部材
１３ｅ  補強フランジ部
１３ｆ  基板接続部
１３ｇ  補強凹部
２０  リセプタクルコネクタ（第２の電気コネクタ）
２１  絶縁ハウジング
２１ａ  絶縁本体部
２１ｂ  コンタクト取付溝（図１５参照）
２１ｃ  絶縁突部
２２  コンタクト部材
２２ａ  接続脚部
２３  リセ側固定金具（相手側固定金具）
２３ａ  底面板
２３ｂ  側壁板
２３ｃ  基板接続部
Ｐ１  第１の配線基板
Ｐ１ａ  信号伝送用導電路
Ｐ１ｂ  グランド接続用導電路
Ｐ２  第２の配線基板
Ｐ２ａ  信号伝送用導電路
Ｐ２ｂ  グランド接続用導電路
【図１】
2016184505.tif 000003
【図２】
2016184505.tif 000004
【図３】
2016184505.tif 000005
【図４】
2016184505.tif 000006
【図５】
2016184505.tif 000007
【図６】
2016184505.tif 000008
【図７】
2016184505.tif 000009
【図８】
2016184505.tif 000010
【図９】
2016184505.tif 000011
【図１０】
2016184505.tif 000012
【図１１】
2016184505.tif 000013
【図１２】
2016184505.tif 000014
【図１３】
2016184505.tif 000015
【図１４】
2016184505.tif 000016
【図１５】
2016184505.tif 000017
【図１６】
2016184505.tif 000018
【図１７】
2016184505.tif 000019
【図１８】
2016184505.tif 000020
【図１９】
2016184505.tif 000021
【図２０】
2016184505.tif 000022
【図２１】
2016184505.tif 000023
【図２２】
2016184505.tif 000024
【図２３】
2016184505.tif 000025
【図２４】
2016184505.tif 000026
【図２５】
2016184505.tif 000027
【図２６】
2016184505.tif 000028
【図２７】
2016184505.tif 000029